【手続補正書】
【提出日】平成16年2月6日(2004.2.6)
【手続補正１】
【補正対象書類名】明細書
【補正対象項目名】特許請求の範囲
【補正方法】変更
【補正の内容】
【特許請求の範囲】
【請求項１】
現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムにおいて、
前記現金収納庫内の現金量に基づき前記運用管理装置で選択された現金の回収あるいは補充先の自動取引装置からの現金の回収あるいは補充を前記キャリアコントローラに指示する指示手段と、
この指示手段での指示に応じて、前記キャリアコントローラが前記キャリアと前記選択された自動取引装置を制御して所定の現金融通処理を実行する現金融通制御手段と、
を具備し、
前記自動取引装置は、前記現金融通処理の際、前記キャリアと赤外線通信を行って、前記キャリア内の紙幣の搬送経路上の紙幣の搬送状況を認識する認識手段を具備したことを特徴とする現金処理システム。
【請求項２】
現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムにおいて、
前記現金収納庫内の現金量に基づき前記運用管理装置で選択された現金の回収あるいは補充先の自動取引装置からの現金の回収あるいは補充を前記キャリアコントローラに指示する指示手段と、
この指示手段での指示に応じて、前記キャリアコントローラが前記キャリアと前記選択された自動取引装置を制御して所定の現金融通処理を実行する現金融通制御手段と、
前記選択された自動取引装置と前記キャリアとの結合時に、前記選択された自動取引装置と前記キャリアとの間で赤外光通信を行い、そのときの受信レベルに基づき前記結合の正当性を確認する結合確認手段と、
前記結合の正当性の確認された前記赤外光通信の受信レベルを所定の基準値と比較して前記受信レベルの正当性を確認する受信レベル確認手段と、
前記受信レベルの正当性の確認された前記赤外光通信の受信レベルに応じて信号値のレベルを設定する設定手段と、
を具備し、
前記現金融通処理の際、前記設定手段で設定された信号値のレベルに基づき、前記選択された自動取引装置と前記キャリアとの間で赤外光通信を行うことを特徴とする現金処理システム。
【請求項３】
前記現金融通処理の際、前記選択された自動取引装置と前記キャリアとの間の紙幣の搬送中に、前記選択された自動取引装置と前記キャリアのいずれかで紙幣の搬送異常が検出されたとき、前記選択された自動取引装置と前記キャリアとの間で赤外光通信を行って紙幣の搬送動作の停止を指示する指示手段を具備したことを特徴とする請求項１または請求項２記載の現金処理システム。
【請求項４】
現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムにおいて、
前記現金収納庫内の現金量に基づき前記運用管理装置で選択された現金の回収あるいは補充先の自動取引装置からの現金の回収あるいは補充を前記キャリアコントローラに指示する指示手段と、
この指示手段での指示に応じて、前記キャリアコントローラが前記キャリアと前記選択された自動取引装置を制御して所定の現金融通処理を実行する現金融通制御手段と、
を具備し、
前記選択された自動取引装置は、前記現金融通処理の際、前記キャリアから受け取った、あるいは、前記キャリアへ渡した紙幣の枚数を計数する第１の計数手段を具備し、
前記キャリアは、前記現金融通処理において、前記選択された自動取引装置から受け取った、あるいは、前記選択された自動取引装置へ渡した紙幣の枚数を計数する第２の計数手段を具備し、
前記キャリアコントローラは、前記第１および第２の計数手段で計数された紙幣の枚数を比較する手段を具備したことを特徴とする現金処理システム。
【手続補正２】
【補正対象書類名】明細書
【補正対象項目名】００１２
【補正方法】変更
【補正の内容】
【００１２】
【課題を解決するための手段】
本発明の現金処理システムは、現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラと、前記キャリアのバッテリを充電する充電ステーションとを有する現金処理システムにおいて、前記現金収納庫内の現金量に基づき前記運用管理装置で選択された現金の回収あるいは補充先の自動取引装置からの現金の回収あるいは補充を前記キャリアコントローラに指示する指示手段と、この指示手段での指示に応じて、前記キャリアコントローラが前記キャリアと前記選択された自動取引装置を制御して所定の現金融通処理を実行する現金融通制御手段とを具備し、前記選択された自動取引装置は、前記現金融通処理の際、前記キャリアと赤外線通信を行って、前記キャリア内の紙幣の搬送経路上の紙幣の搬送状況を認識する認識手段を具備したことにより、現金融通動作において、キャリアと現金（紙幣）の回収または補充先のＡＴＭとの間の紙幣の受渡しの際、紙幣の枚数管理、紙幣の搬送異常の検知およびその対処が効率よく行え、キャリアとＡＴＭとの間の紙幣の受渡動作の信頼性の向上が図れる。


【手続補正３】
【補正対象書類名】明細書
【補正対象項目名】００１３
【補正方法】変更
【補正の内容】
【００１３】
また、本発明の現金処理システムは、現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムにおいて、前記現金収納庫内の現金量に基づき前記運用管理装置で選択された現金の回収あるいは補充先の自動取引装置からの現金の回収あるいは補充を前記キャリアコントローラに指示する指示手段と、この指示手段での指示に応じて、前記キャリアコントローラが前記キャリアと前記選択された自動取引装置を制御して所定の現金融通処理を実行する現金融通制御手段と、前記選択された自動取引装置と前記キャリアとの結合時に、前記選択された自動取引装置と前記キャリアとの間で赤外光通信を行い、そのときの受信レベルに基づき前記結合の正当性を確認する結合確認手段と、前記結合の正当性の確認された前記赤外光通信の受信レベルを所定の基準値と比較して前記受信レベルの正当性を確認する受信レベル確認手段と、前記受信レベルの正当性の確認された前記赤外光通信の受信レベルに応じて信号値のレベルを設定する設定手段とを具備し、前記現金融通処理の際、前記設定手段で設定された信号値のレベルに基づき、前記選択された自動取引装置と前記キャリアとの間で赤外光通信を行うことにより、現金融通動作において、キャリアと現金（紙幣）の回収または補充先のＡＴＭとの間の紙幣の受渡しの際、紙幣の枚数管理、紙幣の搬送異常の検知およびその対処が効率よく行え、キャリアとＡＴＭとの間の紙幣の受渡動作の信頼性の向上が図れる。


【手続補正４】
【補正対象書類名】明細書
【補正対象項目名】００１４
【補正方法】変更
【補正の内容】
【００１４】
また、本発明の現金処理システムは、現金を収納した現金収納庫を具備して、この現金収納庫内の現金にて所定の取引処理を行う複数の自動取引装置と、これら複数の自動取引装置に接続されて前記現金収納庫内の現金量を含む運用状態を管理する運用管理装置と、前記複数の自動取引装置間を移動して前記複数の自動取引装置に対して現金の回収並びに補充動作を行うキャリアと、このキャリアの動作を前記運用管理装置の指示に基づき制御するキャリアコントローラとを有する現金処理システムにおいて、前記現金収納庫内の現金量に基づき前記運用管理装置で選択された現金の回収あるいは補充先の自動取引装置からの現金の回収あるいは補充を前記キャリアコントローラに指示する指示手段と、この指示手段での指示に応じて、前記キャリアコントローラが前記キャリアと前記選択された自動取引装置を制御して所定の現金融通処理を実行する現金融通制御手段と、を具備し、前記選択された自動取引装置は、前記現金融通処理の際、前記キャリアから受け取った、あるいは、前記キャリアへ渡した紙幣の枚数を計数する第１の計数手段を具備し、前記キャリアは、前記現金融通処理において、前記選択された自動取引装置から受け取った、あるいは、前記選択された自動取引装置へ渡した紙幣の枚数を計数する第２の計数手段を具備し、前記キャリアコントローラは、前記第１および第２の計数手段で計数された紙幣の枚数を比較する手段を具備したことにより、現金融通動作において、キャリアと現金（紙幣）の回収または補充先のＡＴＭとの間の紙幣の受渡しの際、紙幣の枚数管理、紙幣の搬送異常の検知およびその対処が効率よく行え、キャリアとＡＴＭとの間の紙幣の受渡動作の信頼性の向上が図れる。